(57)【要約】【課題】屋根用折板を屋根上で運搬する屋根用折板運搬具について、最小限の人員で容易に積載・運搬・配置可能なものとして高い作業効率を実現可能にする。【解決手段】橇状部３と掴み体４とハンドル２１ａとを備えて屋根用折板５０を屋根上で運搬するのに用いられる屋根用折板運搬具１であって、橇状部３に上向きに延設された柱体３２ａの先端側を支点として両端側を上下に揺動可能に支持されたレバーアーム２が設けられ、そのレバーアーム２は先端側に掴み体４が配設され基端側にハンドル２１ａが配設されており、レバーアーム２を屋根用折板５０の長手方向に対し直角にして掴み体４で屋根用折板５０を保持させ、その状で作業員がハンドル２１ａを下げることで屋根用折板５０を持ち上げて、そのままハンドル２１ａを押すことで屋根上を運搬し、目的位置でハンドル２１ａを上げることで屋根用折板５０を降ろして配置するものとした。【選択図】図１
2015200174.tif 000002
【特許請求の範囲】
【請求項１】
屋根上を滑動する滑動面を有して橇状に形成された橇状部と、屋根用折板を持ち上げた状態で保持する折板保持手段と、作業員が把持して操作を行うためのハンドル手段とを備え、屋根用折板を屋根上で運搬するのに用いられる屋根用折板運搬具において、
前記橇状部の上方には該橇状部から上向きに延設された支持手段の先端側を支点として両端側を上下に揺動可能に支持されてなるレバーアームが設けられており、該レバーアームには、先端側に前記折板保持手段が配設され基端側に前記ハンドル手段が配設されており、前記レバーアームを屋根用折板の長手方向に対し直角にして前記折板保持手段で屋根用折板の長手方向中途部分を保持させた状態として、作業員が前記ハンドル手段を下げることで屋根用折板を持ち上げながらそのまま前記ハンドル手段を押すことで屋根上を運搬し、目的位置で前記ハンドル手段を上げることで屋根用折板を降ろして配置するものとされている、ことを特徴とする屋根用折板運搬具。
【請求項２】
前記折板保持手段は、前記レバーアームの先端側に水平に接続される軸棒を有し、該軸棒に開閉可能な状態で枢着された１対の挟み部材が前記軸棒の持ち上げ動作により閉方向に動作するものとされ、屋根用折板の上に置いた状態から前記レバーアームで持ち上げることで、断面有底Ｖ字状の屋根用折板上部両端側を前記両挟み部材で挟み込んで保持しながら吊り上げ、屋根用折板を前記レバーアームで降ろして置くことにより、前記両挟み部材が開いて保持状態が解除される、ことを特徴とする請求項１に記載した屋根用折板運搬具。
【請求項３】
前記支持手段は、前記支点を通る縦方向の軸線を中心にして前記レバーアームを旋回可能に軸支している、ことを特徴とする請求項１または２に記載した屋根用折板運搬具。
【請求項４】
前記橇状部の下面側には、潤滑性素材による滑動部材が設けられて前記滑動面を形成している、ことを特徴とする請求項１，２または３に記載した屋根用折板運搬具。
【請求項５】
前記滑動部材は、前記橇状部の進行方向に対し平行な向きでその幅方向両端側に対で設けられているとともに、前記橇状部本体に対し各々着脱可能とされており、且つ、高さ調整が各々可能とされていることを特徴とする請求項４に記載した屋根用折板運搬具。
【請求項６】
前記橇状部又は前記レバーアームの所定位置には、前記屋根用折板運搬具の複数台を進行方向に対し直角方向且つ所定の間隔で並列させながら前記間隔を維持するように連結するものとした連結アームの端部側を接続するための接続手段を備えており、前記接続手段を介し前記連結アームにより前記複数台が連結されることで、１本の長尺の屋根用折板の長手方向中途位置の複数箇所を同時に保持しながら一体として運搬可能なものとなる、ことを特徴とする請求項１，２，３，４または５に記載した屋根用折板運搬具。
【請求項７】
前記接続手段は、上向きに突設された柱状の接続体であり、該接続体が前記接続孔に下から挿通するように前記連結アームを上方から配設することにより、前記連結アームの両端側が接続されて前記複数台が連結される、ことを特徴とする請求項６に記載した屋根用折板運搬具。
【請求項８】
請求項６または７に記載した屋根用折板運搬具の複数台が、並列状態で前記接続アームにより一体的に連結されてなる屋根用折板運搬具複合体。
【発明の詳細な説明】
【技術分野】
【０００１】
本発明は、屋根用折板運搬具に関し、殊に、長尺の屋根用折板を屋根上で最小限の人員にて運搬・配置できる屋根用折板運搬具に関する。
【背景技術】
【０００２】
体育館、工場、倉庫、ショッピングセンター等の大規模施設の屋根を葺く際には、帯状の鋼板をロール成形機で断面有底Ｖ字状に折りながら長手方向に連続して成形してなる屋根用折板が多用されている。この場合、複数枚重ねた屋根用折板の束をクレーンで吊り上げて屋根上の所定位置に配置し、作業員がその位置から目的箇所まで１枚ずつ運んで配置しながら作業を進めるのが一般的である。
【０００３】
しかし、上述したような大規模施設においては、１本の屋根用折板の長さが８ｍ以上の場合が殆どであることから、長尺で重い屋根用折板の両端を２人以上の作業員で持ち上げながら、足場が不安定で広範囲な屋根上を何回も運搬することになるため、作業員の負担が大きいことに加え作業効率が極めて悪いという問題があった。
【０００４】
この問題に対し、特開２００１−１４０４３１号公報には、屋根上に棟部と平行に仮設した１対のレール軌道の上を移動可能に配置した台車の上に屋根用折板を載せて運搬する方式とした屋根用折板運搬具が開示されており、これを用いることで複数枚の屋根用折板を配置場所に近い位置まで１人で運搬することを可能にしている。
【０００５】
しかし、この技術を実施するには、屋根上にレール軌道を仮設する手間を要するとともに、屋根用折板を目的位置に配置しながらその手前側のレール軌道を順次取り外す手間を要することになる。また、台車に屋根用折板を積み降ろすには複数の人員が必要になることに加え、レール軌道上のみ運搬可能であるため、屋根の傾斜方向の距離が長い場合には、複数本のレール軌道を併設する必要も生じてしまう。
【０００６】
そこで、実用新案登録第３１８６３５０号公報には、鋤の上に載置台を設けるとともに鋤の下面に複数のローラを回転可能に設けた屋根用折板用運搬具も提案されており、既に屋根用折板を葺いた後の凹凸面を構成している複数の頂点の上を走行することで縦横自在な移動を可能としている。また、意匠登録第１２５９６０４号公報には、橇状の積載板の底面に滑動性樹脂によるシューを備えた運搬具も記載されており、前記同様に凹凸の頂点上を自在に滑動しながら１人の作業員でも運搬が行えるものとしている。
【０００７】
しかしながら、このように仮設軌道上を走行しない方式の運搬具を用いた場合でも、その荷台に屋根用折板を積載する際には複数の人員を要するとともに、屋根用折板を目的位置に下ろして配置する際にも複数の人手を要することから、作業効率の改善は未だ不充分と言わざるを得ない。
【先行技術文献】
【特許文献】
【０００８】
【特許文献１】特開２００１−１４０４３１号公報
【特許文献２】実用新案登録第３１８６３５０号公報
【特許文献３】意匠登録第１２５９６０４号公報
【発明の概要】
【発明が解決しようとする課題】
【０００９】
本発明は、上記のような問題を解決しようとするものであり、長尺の屋根用折板を屋根上で運搬するための屋根用折板運搬具について、最小限の人員で容易に積載・運搬・配置可能なものとして、高い作業効率を実現できるようにすることを課題とする。
【課題を解決するための手段】
【００１０】
そこで、本発明は、屋根上を滑動する滑動面を有して橇状に形成された橇状部と、屋根用折板を持ち上げた状態で保持する折板保持手段と、作業員が把持して操作を行うためのハンドル手段とを備えて、屋根用折板を屋根上で運搬するのに用いられる屋根用折板運搬具において、その橇状部の上方には橇状部から上向きに延設された支持手段の上端側を支点として両端側を上下に揺動可能に支持されてなるレバーアームが設けられており、そのレバーアームには、先端側に折板保持手段が配設され基端側にハンドル手段が配設されており、そのレバーアームを屋根用折板の長手方向に対し直角にして折板保持手段で屋根用折板の長手方向中途部分を保持させた状態として、作業員がハンドル手段を下げることで屋根用折板を持ち上げながらそのままハンドル手段を押すことで屋根上を運搬し、目的位置でハンドル手段を上げることで屋根用折板を降ろして配置する、ことを特徴とするものとした。
【００１１】
このように、屋根上を滑動する橇状部の上方にテコ動作を行うレバーアームを設け、その先端側で屋根用折板を保持して基端側を横向きに押しながら運搬する方式としたことで、屋根上の所定位置に置いた屋根用折板を、作業員がハンドル手段を操作して小さな力で持ち上げながらそのまま目的位置まで滑動させて配置できるようになるため、長尺で重い屋根用折板であっても最小限の人員で配置作業を完了できるものとなる。
【００１２】
また、この屋根用折板運搬具において、その折板保持手段は、レバーアームの先端側に水平に接続される軸棒を有し、この軸棒に開閉可能な状態で枢着された１対の挟み部材が軸棒の持ち上げ動作により閉方向に動作するものとされ、屋根用折板の上に置いた状態からレバーアームで持ち上げることで、断面有底Ｖ字状の屋根用折板上部両端側を両挟み部材で挟み込んで保持しながら吊り上げ、屋根用折板をレバーアームで降ろして置くことにより、両挟み部材が開いて保持状態が解除されることを特徴としたものとすれば、従来は複数の人手を要した屋根用折板の運搬具への積み降ろし作業が１人でも容易に行えるようになる。
【００１３】
さらに、上述した屋根用折板運搬具において、その支持手段は、前記支点を通る縦方向の軸線を中心にしてレバーアームを旋回可能に軸支していることを特徴としたものとすれば、作業員がハンドル手段で水平方向に旋回操作して屋根用折板が屋根上の障害物に干渉しない向きに調整しながら運搬を行えるとともに、配置位置において屋根用折板の位置合わせが容易に行えるものとなる。
【００１４】
さらにまた、上述した屋根用折板運搬具において、その橇状部の下面側には潤滑性素材による滑動部材が設けられて滑動面を形成していることを特徴としたものとすれば、配設後の屋根用折板による凹凸の頂点部分の上を滑動しながら運搬する際にこれを傷つけることなくスムースに移動させることが可能となる。
【００１５】
この場合、その滑動部材は、橇状部の進行方向に対し平行な向きでその幅方向両端側に対で設けられているとともに、橇状部本体に対し各々着脱可能とされており、且つ、高さ調整が各々可能とされていることを特徴としたものとすれば、滑動面が摩耗した場合に滑動部材の交換が可能であることに加え、その左右の高さを調整することで、使用する屋根の傾斜角度に合わせて橇状部の傾きを補正することも可能になる。
【００１６】
加えて、上述した屋根用折板運搬具において、その橇状部又はレバーアームの所定位置には、前記屋根用折板運搬具の複数台を進行方向に対し直角方向且つ所定の間隔で並列させながら前記間隔を維持するように連結するものとした連結アームの端部側を接続するための接続手段を備えており、前記接続手段を介し前記連結アームで前記複数台が連結されることで１本の長尺の屋根用折板の長手方向中途位置の複数箇所を同時に保持しながら一体として運搬可能なものとなる、ことを特徴としたものとすれば、一台の運搬具では運べない長さの屋根用折板であっても、連結アームで複数台が一体的に連結された複合体にすることで、並列状態を維持しながらスムース且つ安全に運搬できるものとなる。
【００１７】
この場合、前記接続手段は、上向きに突設された柱状の接続体であり、この接続体が前記接続孔に下から挿通するように前記連結アームを上方から配設することにより、前記連結アームの両端側が接続されて前記複数台が連結される、ことを特徴としたものとすれば、屋根用折板運搬具を所定間隔で並列した状態にして、連結アームをその両端側の挿通孔に前記接続体が挿通するように上から配置することにより、容易に接続・連結されるものとなる。
【００１８】
そして、上述した接続手段を備えた屋根用折板運搬具の複数台が、並列状態で前記接続アームにより一体的に連結されてなる屋根用折板運搬具複合体とすれば、従来は運搬具を用いた運搬が困難であった極めて長尺の屋根用折板であっても、安定的且つスムースに運搬できるものとなる。
【発明の効果】
【００１９】
橇状部の上方にテコ動作を行うレバーアームを設け、その先端側の折板保持手段で屋根用折板を保持しながらその基端側のハンドル手段で作業員が操作を行う方式とした本発明によると、最小限の人員で容易に積載・運搬・配置可能として高い作業効率を実現できるものである。
【図面の簡単な説明】
【００２０】
【図１】本発明における実施の形態の屋根用折板運搬具の側面図である。
【図２】図１の屋根用折板運搬具の平面図である。
【図３】図１の屋根用折板運搬具の正面図である。
【図４】図１の屋根用折板運搬具の使用状態を示す側面図である。
【図５】図２の屋根用折板運搬具を旋回させた状態を示す平面図である。
【図６】図１の屋根用折板運搬具における折板保持手段の部分拡大図である。
【図７】（Ａ），（Ｂ），（Ｃ）は図６の折板保持手段で折板を把持して持ち上げる動作手順を説明するための部分拡大図である。
【図８】図１の屋根用折板運搬具の応用例を示す側面図である。
【図９】図８の屋根用折板運搬具の平面図である。
【図１０】図８の屋根用折板運搬具の橇状部とそのレバーアームとの連結構造の詳細を示す拡大した部分斜視図である。
【図１１】図８の屋根用折板運搬具の橇状部とそのレバーアームとの連結構造の詳細を示す拡大した部分縦断面図である。
【図１２】図１０の接続アームの変形例及びその接続方法を示す部分斜視図である。
【図１３】１２の接続アームの他の接続方法を示す部分斜視図である。
【図１４】図８の屋根用折板運搬具の複数台を連結してなる屋根用折板運搬具複合体で１本の長尺の屋根用折板を運搬する状態を示す部分平面図である。
【発明を実施するための形態】
【００２１】
以下に、図面を参照しながら本発明を実施するための形態を説明する。
【００２２】
図１乃至図３は、本実施の形態である屋根用折板運搬具１の構成を示している。この屋根用折板運搬具１は、傾斜角度が比較的緩やかな大規模施設の屋根を帯状鋼板から成形した屋根用折板で葺く際に、屋根上の所定位置に纏めて置いた屋根用折板を配置位置まで１本ずつ運搬して配置するために用いられ、主として屋根用折板を葺いた部分の上をその傾斜方向に対し直交した向きで移動することを想定したものである。
【００２３】
斯かる屋根用折板運搬具１は、屋根上を滑動する滑動面を備えた平板状の橇状部３と、この橇状部３の上面中央から上向きに延設された円柱状の支持手段である柱体３２ａと、この柱体３２ａの上端側で支持されて横軸３３を支点として両端側を上下に揺動可能に配設された尺長のレバーアーム２と、レバーアーム２の先端側に配設されて屋根用折板を持ち上げた状態で保持する折板保持手段としての掴み体４と、レバーアーム２の基端側に配設されて作業員が把持して各種操作を行うためのハンドル手段としてのハンドル部２１とを備えている。
【００２４】
その橇状部３は、図２に示すように平面視長方形の平板状の部材からなり、その長手方向の長さは、これが滑動する屋根用折板を葺いた後の凹凸による頂点部分を結ぶ距離の少なくとも２倍以上の長さを有しており（本実施の形態では約３倍）、屋根の傾斜方向に対し直角方向に滑動させた場合に安定しやすいサイズ・形状となっている。
【００２５】
また、図３の正面図に示すように、この橇状部３の橇状部本体３１底面側には、スキー板の滑動面に用いられるようなポリエチレンフッ素樹脂等の潤滑性樹脂からなる滑動部材３５ａ，３５ｂが、その長手方向に対し平行な状態で橇状部本体３１の幅方向両端側に対で設けられてその下面側で各々滑動面を形成しており、既に葺いた屋根用折板による凹凸の各頂点部分の上を滑動しながら運搬する際に、これを傷つけることなくスムースな移動を実現しやすいものとしている。
【００２６】
尚、この滑動部材３５ａ，３５ｂは、図示しないボルト等で橇状部本体３１の下向きフランジに各々着脱可能に装着されているとともに、下向きの突出量の調整（高さ調整）が可能とされており、これらが摩耗した場合に容易に交換できることに加え、その左右の突出量（高さ）を調整することで使用する屋根用折板の傾斜角度に合わせて橇状部３の傾きを容易に補正できるようになっている。
【００２７】
図１に示すように、レバーアーム２はその先端側から３分の１〜４分の１の位置で下端が支点となる脚２３を有して、横軸３３とこれを挿通した軸保持部材３２ｂを介して柱体３２ａ上端側で揺動可能に支持されているが、図３に示すように、その軸保持部材３２ｂは、中心軸線が横軸３３の中心を縦向きに通る縦軸３４を介して柱体３２ａ及び橇状部本体３１に対し旋回可能に連結しているため、レバーアーム２がその揺動の支点を通る縦向きの軸線を中心にして旋回可能に軸支されたものとなっている。
【００２８】
以上の構成を有した本実施の形態の屋根用折板運搬具１は、図４に示すようにレバーアーム２の先端側部分を構成する吊り下げ部２２先端側のフック２２ａに掛止して吊り下げた掴み体４で屋根用折板５０を掴んで保持し、１人の作業員がハンドル部２１のハンドル２１ａを操作してテコの原理で屋根用折板５０を容易に持ち上げながら、そのままハンドル２１ａを進行方向に押すことで屋根５００の傾斜方向に直交する向きに橇状部３を滑動させて運搬することができる。
【００２９】
また、このレバーアーム２は、図５の平面図に示すように前述した縦軸３４を中心に水平方向に旋回可能とされていることから、作業員がハンドル２１ａを操作してレバーアーム２を旋回操作することにより、屋根用折板５０が屋根上での運搬の際に途中の障害物に干渉しない向きに調整することも可能であり、且つ、屋根用折板５０の配置位置においてその位置合わせも容易に行えるものであり、さらに配置後にレバーアーム２を逆向きに旋回させることで作業員が運搬開始位置に向いた状態で屋根用折板運搬具１を押しながら元の位置に戻すこともできる。
【００３０】
したがって、本実施の形態の屋根用折板運搬具１を使用することで、最小限の人員で短時間に多数の屋根用折板５０を保持（積載）・運搬・配置可能なものとなり、高い作業効率を実現することができる。尚、運搬する屋根用折板５０は、その長さが１０ｍ程度までであれば、１台の屋根用折板運搬具１でその中央部分を保持しながら１人の作業員で吊り下げ、運搬、配置の作業を総て実施できるが、長さが１０ｍを超えて中央の１箇所で保持して持ち上げると過剰に湾曲・変形してしまう場合は、２台の屋根用折板運搬具１を使用して２箇所を保持しながら作業を行えば良い。また、ハンドル部２１を構成する縦向きの部材は、レバーアーム２の基端側に対し複数のボルト孔２１ｂのうち任意のものを選んでボルトで連結するものとされ、使用する人の身長に合わせてハンドル２１ａの高さ調整を行えるようになっている。
【００３１】
一方、本実施の形態において、レバーアーム２先端側に接続する折板保持手段である掴み体４は、軸棒４４が水平な状態でフック２２ａに掛けられて吊り下げた状態で接続されるが、図５に示したように、この軸棒４４には１対の掴み部材４０，４１が互いに横向きに開いた状態で開閉可能に枢着されており、軸棒４４の持ち上げ動作により先端側を閉方向に動作するようになっている、
【００３２】
その掴み体４を拡大した側面図である図６を参照して、掴み部材４０は軸棒４４に基端側を枢着されて遠心方向に延設されたアーム４０ａとアーム４０ｂ（アーム４０ａに隠れて見えない）と軸棒４４に平行な向きでアーム４０ａ，４０ｂの先端側を渡した当て板４００からなり、掴み部材４１も軸棒４４に基端側を枢着されて遠心方向に延設されたアーム４１ａとアーム４１ｂ（アーム４１ａに隠れて見えない）と軸棒４４に平行な向きでアーム４１ａ，４１ｂの先端側を渡した当て板４１０からなる。
【００３３】
この掴み部材４０，４１の当て板４００，４１０の間に挟まれるように、軸棒４４の下方でこれに直角の向きで互いに平行に配置されたバー４３ａ，４３ｂとその両端側を渡して互いに平行に配置された当て板４２ａ，４２ｂからなる平面視四角形の中間部材４２が、掴み部材４０，４１のアーム４０ａ，４０ｂ，４１ａ，４１ｂの先端寄り位置に軸着されて垂設されたリンク４０１，４０１，４１１，４１１の各先端側に軸着されて垂設されており、軸棒４４をフック２２ａで持ち上げることで、掴み部材４０，４１の先端側部分である当て板４００，４０１が閉じ動作を行い、屋根用折板５０の上部両端側を掴んで保持するようになっている。
【００３４】
図７を参照しながら掴み体４の動作手順とその作用を詳細に説明すると、レバーアーム２から分離された掴み体４を、屋根上に置いた断面形状有底Ｖ字状の屋根用折板５０上部の幅方向両端側を渡すように、その軸棒４４を屋根用折板５０の長手方向に一致する向きで中央位置に配置する（Ａ）。このとき、中間部材４２はその当て板４２ａ，４２ｂを屋根用折板５０内側面上部で段差を構成しているフランジ部分の内側面に接するように載っており、掴み部材４０，４１は左右に開きながらその当て板４００，４１０が屋根用折板５０両端側のフランジ部分から離れた状態となっている。
【００３５】
次に、レバーアーム２の先端を下げてフック２２ａを軸棒４４に掛け、上向きに付勢すると、掴み部材４０，４１の当て板４００，４１０が互いに近接方向に動作する（Ｂ）。そして、さらに軸棒４４を持ち上げることで、中間部材４２にリンク４０１，４０１，４１１，４１１を介して連結されている掴み部材４０，４１のアーム４０ａ，４０ｂ，４１ａ，４１ｂは先端側を閉方向に回動させ、当て板４００，４１０を屋根用折板５０の上部両端側に当接して挟み込む（Ｃ）。
【００３６】
このとき、中間部材４０の当て板４２ａ，４２ｂが屋根用折板５０の上部内側面に接していることから、この当て板４２ａ，４２ｂと当て板４００，４１０とで屋根用折板５０上部両端側を挟み込んだ状態となり、且つ、当て板４００，４１０が断面Ｌ字状であるため、持ち上げた状態でその先端側上面が屋根用折板５０両端側のフランジ部分下面に当接されるとともに、屋根用折板５０の自重によりその状態が維持されることから、掴み体４で屋根用折板５０をしっかりと掴んで保持した状態を維持したまま運搬することができる。
【００３７】
そして、目的位置に到着してから、レバーアーム２の先端を下げて屋根用折板５０を屋根上に置き、掴み体４の軸棒４４からフック２２ａを外すことで掴み体４は（Ａ）の状態に戻ることから、掴み部材４０，４１が先端側を開いて当て板４００，４１０は屋根折板５０の両端側から離れて保持状態が解除され、屋根用折板５０が目的位置に配置される。
【００３８】
このように、折板保持手段である掴み体４は、屋根用折板５０の上に載せて軸棒４４を持ち上げるだけでその先端側を閉じて屋根用折板５０の両端側を掴んで保持し、持ち上げた状態では屋根用折板５０の自重で保持状態を維持することができ、さらに屋根用折板５０を置く動作だけで保持状態を解除できることから、１人の作業員でも保持（積載）・運搬・配置における総ての手順を容易に実施することができる。また、中間部材４０があることで、屋根用折板４０が両側からの挟み動作で湾曲・変形しやすい場合であっても、しっかりと挟み込んで保持することが可能となる。
【００３９】
図８及び図９は、上述した屋根用折板運搬具１の応用例としての屋根用折板運搬具１Ｂ示しているが、掴み体４は前述と共通であるため省略している。この応用例では、橇状部３Ｂの基本構成は前述した橇状部３と同様であるものの、その橇状部本体３１Ｂ上面の先端側及び後端側に、複数台の屋根用折板運搬具１Ｂを進行方向に対し直角且つ所定の間隔で並列させながら前記間隔を維持するように連結する連結アーム１００（図１０参照）の端部側を接続・固定するための接続手段を備えている点を特徴としている。
【００４０】
この接続手段は、橇状部本体３１Ｂの先端側及び後端側の上面から上向きに突設されてなる接続体３８ａ，３８ｂであって、これらはボルト（ネジ）と同様の構成となっている。そして、これらの接続手段を介し、両端側に接続孔１００ａを備えた連結アーム１００で複数台の屋根用折板運搬具１Ｂを連結することにより、１本の長尺の屋根用折板の長手方向中途位置の複数箇所を同時に保持しながら一体として運搬可能なものとなる。
【００４１】
一方、レバーアーム２Ｂは、金属管からなるアーム本体２０ａ，２０ｂが水平方向に並列し、その先端からほぼ３分の１の位置で脚２３ａ，２３ｂが下向きに垂設されており、且つ、その脚２３ａ，２３ｂの下端側とアーム本体２０ａ，２０ｂの先端側及び後端側とを各々渡すように細い補助骨材２３１ａ，２３１ｂ，と補助骨材２３１ｃ，２３１ｄ（補助骨材２３１ａ，２３１ｂに隠れて見えない）が配設されてなるものであり、その先端側部分がフック２２ｃとともに吊り下げ部２２Ｂを構成し、その基端側部分がハンドル２１ｃ，２１ｄとともにハンドル部２１Ｂを構成している。
【００４２】
レバーアーム２Ｂを以上のような構成としたのは以下の理由による。即ち、上述した図１の屋根用折板運搬具１のレバーアーム２を構成している中空の角柱状部材からなるアーム本体２０は、所定の強度を有しながら操作しやすい重量に抑える観点から、比重の軽いアルミニウムを用いるのが好ましい。しかし、屋根用折板運搬具１Ｂのレバーアーム２Ｂにおいては、アーム体２０よりも遙かに細い中空の円柱状部材からなる２本のアーム本体２０ａ，２０ｂに加え、さらに細い補助骨材２３１ａ，２３１ｂ，２３１ｃ，２３１ｄ等の複数の部材で組み上げたことで、橋脚や鉄塔と同様に高強度の構造体となっている。そのため、アルミニウムよりも比重の重い鉄等の金属による細い部材のみで構成して軽量に抑えられ、低廉なコストで高い強度と操作性を確保可能なものとしている。
【００４３】
また、図１０に示すように、レバーアーム２Ｂの脚２３ａ，２３ｂの先端側は、橇状部本体３１Ｂの上面中央に配置した柱体を兼ねる軸保持部材３２ｃの上部において、レバーアーム２Ｂの先端・後端側を上下に揺動可能な状態に横軸３３ｃで軸着されており、ハンドル２１ｃ，２１ｄを把持した作業員がその吊り下げ部２２Ｂを上下に操作可能となっている点は屋根用折板運搬具１と同様である。
【００４４】
また、その軸保持部材３２ｃは、橇状部本体３１Ｂの上面中央位置にて、縦軸３６で水平方向に回動可能な状態に軸着されており、作業員が吊り下げ部２２Ｂを水平方向に旋回操作可能となっている点も同様である。さらに、この縦軸３６は、図１１の縦断面図に示すように、ボールベアリングを内装した軸支持体３７で軸支されており、軸保持部材３２ｃの旋回動作が円滑に行えるものとしている。さらに、軸保持部材３２ｃの上面に配設した止めネジ３２１，３２２を、橇状部本体３１Ｂの対応位置に穿設した係止孔３１１，３１２に螺入することにより、旋回方向の動作を係止してレバーアーム２Ｂが進行方向に向く位置で固定することもできる。
【００４５】
再度、図１０を参照して、上述したボルト状の接続体３８ａ，３８ｂを介し連結アーム１００で複数の屋根用折板運搬具１Ｂを連結するには、接続体３８ａ，３８ｂよりも僅かに内径の大きな接続孔１００ａ，１００ａを両端側に有した帯状で所定の長さを有した金属製の連結アーム１００を用いれば良い。この連結アーム１００の長さは、屋根用折板を運搬する際に好適な屋根用折板運搬具１Ｂの間隔と同様である。
【００４６】
そして、橇状部本体３１Ｂの上面から突設した接続体３８ａ，３８ｂが、端部側に開口した接続孔１００ａに下から挿通するように、連結アーム１００を上から配設するとともにナット３３０，３３０を接続体３８ａ，３８ｂの先端側から螺入して堅固に固定することで接続作業が完了する。これにより、複数並列した屋根用折板運搬具１Ｂは連結アーム１００の長さに応じた一定の間隔で並列しながら全体として一体となって、屋根用折板運搬具複合体１０（図１４参照）となる。尚、図のように先端側の接続体３８ａのみを介して連結した場合であっても、ある程度の一体性は実現可能である。
【００４７】
図１２は、連結アーム１００の変形例としての連結アーム１１０を用いて連結する場合を示している。前述した連結アーム１００は、薄い帯状の金属板からなるものであるため、連結状態で上下方向に撓みやすいことから、運搬中に屋根用折板運搬具１Ｂの間隔が変動することもある。そこで、本例の連結アーム１００では、薄い帯状の金属板（屋根用折板と同様の素材で可）を短径方向中間位置で直角に屈曲して縦向きに伸びる壁を形成して断面Ｌ字状に形成したことにより、上下に撓みにくいものとなっている。
【００４８】
この連結アーム１１０において、図のように一つの接続体３８ａを介して２枚を接続する場合は、一方の連結アーム１１０の向きを他方とは前後逆にして配置すれば良い。また、先端からある程度離れた位置に係止孔１１０ｂを設けておけば、図１３のように端部側の所定範囲を重ねた状態で２枚の連結アーム１１０を接続・固定することにより、上側の連結アーム１１０の底壁端部側が下側の連結アーム１１０の垂直な壁の基端側に当接した状態となる。
【００４９】
そのため、両者をナット３３０で１箇所固定するだけで、両者は一直線の状態で一体化・固定され、屋根用折板運搬具複合体１０が全体として変形しにくいものとなって、安定的且つスムースな運搬を行いやすいものとなる。この場合、ナット３３０を用いた固定は、前述した連結アーム１１０，１１０の一体化により指で回して螺入する程度でも充分である。また、連結アームを接続するための接続体としては、前述したボルト状のもののほか、それが上向きである程度の長さを有したものであれば、単なる柱状のものであっても連結アームの自重により連結状態がある程度維持可能である。さらに、その柱状の接続体を角柱状のものとし、連結アームの係止孔もその形状に対応した形状のものとすれば、接続した連結アームの水平方向の回動をある程度規制可能となるため、前述と同様に、屋根用折板運搬具複合体１０としてその形状を維持しやすいものとなる。
【００５０】
図１４は、複数台の屋根用折板運搬具１Ｂを複数本の連結アーム１００で連結してなる屋根用折板運搬具複合体１０を示したものである（部分）。このように、上述した屋根用折板運搬具１Ｂの複数台を並列した状態で連結・一体化したことにより、例えば１００ｍにも及ぶような極めて長尺の屋根用折板５０Ｂであっても、総ての屋根用折板運搬具１Ｂに各々一人の作業員を配置するとともに、総ての作業員が同時に操作を行うことにより、安定的且つスムースに運搬が行われて、安全に配置作業を完了することができる。
【００５１】
以上、述べたように、屋根上で長尺の屋根用折板を運搬するための屋根用折板運搬具について、本発明により、最小限の人員で容易に積載・運搬・配置可能なものとして高い作業効率を実現できるようになった。
【符号の説明】
【００５２】
１，１Ｂ  屋根用折板運搬具、２，２Ｂ  レバーアーム、３，３Ｂ  橇状部、４  掴み体、１０  屋根用折板運搬具複合体、２１，２１Ｂ  ハンドル部、２１ａ，２１ｃ，２１ｄ  ハンドル、２２，２２Ｂ  吊り下げ部、２２ａ，２２ｂ  フック、３１，３１Ｂ  橇状部本体、３２ａ  柱体、３３，３３ｃ  横軸、３４，３６  縦軸、３５ａ，３５ｂ，３５ｃ，３５ｄ  滑動部材、４０，４１  掴み部材、４２  中間部材、４４  軸棒、５０，５０Ｂ  屋根用折板、５００  屋根
【図１】
2015200174.tif 000003
【図２】
2015200174.tif 000004
【図３】
2015200174.tif 000005
【図４】
2015200174.tif 000006
【図５】
2015200174.tif 000007
【図６】
2015200174.tif 000008
【図７】
2015200174.tif 000009
【図８】
2015200174.tif 000010
【図９】
2015200174.tif 000011
【図１０】
2015200174.tif 000012
【図１１】
2015200174.tif 000013
【図１２】
2015200174.tif 000014
【図１３】
2015200174.tif 000015
【図１４】
2015200174.tif 000016